(57)【特許請求の範囲】
【請求項１】
カメラ筐体の内部に組み込まれた発熱源と、
上記カメラ筐体の側板の内面に垂直状に一体成形された複数の放熱用フィンと、
一方の側面に上記発熱源が密着され、他方の側面が上記複数の放熱用フィンに密着される放熱用シートと、
上記複数の放熱用フィン間の複数のスリット状空間を通るようにして上記カメラ筐体の内部に下から上への空気の対流を発生させる手段を備えた
ことを特徴とするビデオカメラの放熱装置。
【請求項２】
カメラ筐体の内部に組み込まれた発熱源と、
一方の側面に上記発熱源が密着され、他方の側面に垂直状に形成された複数の放熱用フィンが上記カメラ筐体の側板に密着される放熱用シートと、
上記複数の放熱用フィン間の複数のスリット状空間を通るようにして上記カメラ筐体の内部に下から上への空気の対流を発生させる手段を備えた
ことを特徴とするビデオカメラの放熱装置。
【請求項３】
カメラ筐体の内部に組み込まれた発熱源と、
一方の側面に上記発熱源が密着される放熱用シートと、
上記カメラ筐体の側板と上記放熱用シートとの間に配置され、複数の放熱用フィンが垂直状に形成されている放熱用フィン形成部材と、
上記複数の放熱用フィン間の複数のスリット状空間を通るようにして上記カメラ筐体の内部に下から上への空気の対流を発生させる手段を備えた
ことを特徴とするビデオカメラの放熱装置。
【請求項４】
上記空気の対流発生手段に放熱用ファンを備えた
ことを特徴とする請求項１又は請求項２又は請求項３に記載のビデオカメラの放熱装置。
【発明の詳細な説明】
【０００１】
【発明の属する技術分野】
本発明は、ビデオカメラにおけるカメラ筐体内部の放熱装置の技術分野に属するものである。
【０００２】
【従来の技術】
従来から、図１０〜図１２に示すような放送局用や業務用として使用されるビデオカメラであるポータブルビデオカメラ１は、一般的に、カメラ筐体２の前面にズームレンズ３を取り付け、カメラ筐体２の上面に把手４、ビューファインダー５やマイクロホン６等を取り付け、カメラ筐体２の下面にショルダーパッド７を取り付け、カメラ筐体２の後面にバッテリーパック等のカメラ付属品８を取り付けている。そして、カメラ筐体２はアルミニウム等の軽合金で鋳造された筐体本体２１と、左右両側板２２、２３によって構成されていて、左右両側板２２、２３を複数の止ネジ２４によって筐体本体２１の左右両側面に脱着可能にネジ止めすることによってほぼ箱形のカメラ筐体２を組み立てている。
【０００３】
そして、このカメラ筐体２１内の前面側にはズームレンズ３が接続される撮像装置（図示せず）が収納されていて、このカメラ筐体２内の後方側には複数の信号処理基板９が垂直状に収納されていて、カメラ筐体２内の後方側の左側面には電源ユニット１０等の発熱源がマウントされた基板１１が垂直状に収納されている。なお、複数の信号処理基板９はズームレンズ３の光軸に対して直角な垂直状態で右横方向からガイドレール方式で筐体本体２１内に差し込まれて収納されていて、右側板２２を取り外すことによって脱着できるように構成されている。また、基板１１はズームレンズ３の光軸に対して平行な垂直状態で複数の止ネジ１２によって筐体本体２１内の左側面に脱着可能にネジ止めされていて、その基板１１の外面に電源ユニット１０等がマウントされている。
【０００４】
ところで、この種ポータブルビデオカメラ１では、ビデオ撮影時に、カメラマンがそのポータブルビデオカメラ１を右肩上に載せて、右目でビューファインダーを覗きながらビデオ撮影を行う関係で、そのビデオ撮影時にはカメラマンの顔がカメラ筐体２の右側板２２に接近される。そこで、従来から、この種ポータブルビデオカメラ１では電源ユニット１０等の発熱源をカメラマンの顔側とは反対側であるカメラ筐体２内の左側板２３側に配置し、熱伝導性の高いゴム素材で作られた放熱用シート２５を左側板２３の内面に両面テープ等にて貼り付け、電源ユニット１０等をその放熱用シート２５の内面に密着させるように組み立てることによって、ビデオ撮影時に高温に発熱する電源ユニット１０等の熱を左側板２３へ熱伝導させて外気へ輻射、放熱させていた。
【０００５】
【発明が解決しようとする課題】
しかし、従来のような電源ユニット１０等の熱を外気へ輻射、放熱させる方法は放熱効率が悪く、左側板２３自体が高温に加熱され易いために、カメラマンがその左側板２３の外面に手を触れて火傷を負う危険があるばかりか、カメラ筐体２の内部温度が異常に上昇して回路素子等の信頼性を損なう場合もあった。
【０００６】
そこで、従来、図１０に示すように、左側板２３等の外面に複数の放熱用フィン２６を一体成形して、その左側板２３の表面積を増大することにより左側板２３の放熱効率を高めるように工夫したものがある。しかし、特に、放送局用や業務用のポータブルビデオカメラ１では、放送局名やカメラナンバー等をカメラ筐体２の外面に表示するに当って、ビデオ撮影中でもその放送局名やカメラナンバー等を第３者が良く見えるように、その放送局名やカメラナンバー等をカメラ筐体２の左側板２３の外面に表示するのが一般的であり、その左側板２３の外面に複数の放熱用フィン２６を設けてしまうと、その放送局名やカメラナンバーを左側板２３の外面に表示するための大きなスペースがとれなくなる上に、複数の放熱用フィン２６によってカメラ筐体２のデザイン上の制約も受けてしまう等の問題があり、その左側板２３の外面は平坦であることが望ましい。
【０００７】
本発明は、上記の問題を解決するためになされたものであって、ビデオカメラの側板の外面を平坦に形成できるにも拘らず、カメラ筐体内の発熱源の熱を効率良く放熱することができるようにしたビデオカメラの放熱装置を提供することを目的としている。
【０００８】
【課題を解決するための手段】
上記の目的を達成するための本発明のビデオカメラの放熱装置は、カメラ筐体の内部に組み込まれた発熱源と、上記カメラ筐体の側板の内面に垂直状に一体成形された複数の放熱用フィンと、一方の側面に上記発熱源が密着され、他方の側面が上記複数の放熱用フィンに密着される放熱用シートと、上記複数の放熱用フィン間の複数のスリット状空間を通るようにして上記カメラ筐体の内部に下から上への空気の対流を発生させる手段を備えたものである。
【０００９】
上記のように構成された本発明のビデオカメラの放熱装置は、カメラ筐体の内部に組み込まれた発熱源が発生する熱を放熱用シート及び複数の放熱用フィンを通してカメラ筐体の側板に熱伝導させて、その側板の外面で外気に輻射、放熱させると共に、カメラ筐体の内部で複数の放熱用フィン間の複数のスリット状空間を通るようにして下から上へ対流される空気によって複数の放熱用フィンの大きな表面積部分で輻射、放熱させることができるので、発熱源が発生する熱をカメラ筐体の側板への熱伝導と放熱用フィンによる放熱作用との相乗効果によって、その側板の内外両方で効率良く放熱することができる。
【００１０】
【発明の実施の形態】
以下、本発明を適用したビデオカメラの放熱装置の実施の形態を図１〜図９を参照して説明する。なお、図１０〜図１２と同一構造部には同一の符号を付して説明の重複を省く。
【００１１】
「放熱装置の第１の実施形態」
まず、図１〜図７によって、放熱装置３１の第１の実施形態を説明すると、この場合は、カメラ筐体２の側板である左側板２３の内面２３ａに垂直状に形成された複数の放熱用フィン３２を鋳造によって一体成形し、その左側板２３の外面２３ｂを平坦面に形成して、その外面２３ｂには放送局名やカメラナンバー等の表示部３３を表示している。そして、カメラ筐体２の内部で左側面にズームレンズ３の光軸と平行な垂直状にネジ止めされた基板３４の外面に発熱源の一例である複数のＩＣ３５がマウントされていて、その複数のＩＣ３５を熱伝導性の高いゴム素材で作られた放熱用シート３６の一方の側面３６ａに圧着し、その放熱用シート３６の他方の側面３６ｂを複数の放熱用フィン３２の内側端面３２ａに圧着させるように組み込んでいる。
【００１２】
即ち、左側板２３を複数の止ネジ２４によって筐体本体２１の左側面にネジ止めしてカメラ筐体２を組み立てると、複数の放熱用フィン３２と複数のＩＣ３５との間で放熱用シート３６がサンドイッチ状に圧迫されて、複数のＩＣ３５と複数の放熱用フィン３２が放熱用シート３６の両側面３６ａ、３６ｂにその放熱用シート３６の弾性に抗して相対的に強く圧着される。この際、サンドイッチ状に圧迫される放熱用シート３６のストレスを複数の放熱用フィン３２間に垂直状に形成されている複数のスリット状空間３７に逃すことができるので、その放熱用シート３６を十分に強く圧迫することが可能であり、複数のＩＣ３５−放熱用シート３６−複数の放熱用フィン３２の相互の密着性を十分に高めることができる。なお、左側板２３の組み立て時には、放熱用シート３６を複数のＩＣ３５側又は複数の放熱用フィン３２側の何れか一方に両面テープ等にて貼り付けるようにするのが好ましい。
【００１３】
そして、カメラ筐体２の内部には、空気を複数のスリット状空間３７を通るようにして下から上へ対流させる対流手段が設けられていて、この対流手段は左右両側板２２、２３の下端２２ｃ，２３ｃに沿って形成された複数の吸気孔３８と、筐体本体２１の頂部２１ａに形成された複数の排気孔３９によって構成されている。そして、この空気の対流を高効率に行うために、筐体本体２１内で頂部２１ａの下部に排気用ファンである放熱用ファン４０が取り付けられている。
【００１４】
以上のように構成された本発明の放熱装置３１の第１の実施形態によれば、例えば、ポータブルビデオカメラ１の電源を投入すると、放熱用ファン４０が回転されて、カメラ筐体２内の空気が上部に配置されている複数の排気孔３９から上部外方へ矢印ａ方向に強制排気される。すると、カメラ筐体２内が負圧になり、下部に配置されている複数の吸気孔３８から冷たい外気がカメラ筐体２内に矢印ｂ方向に吸気されて、その冷たい外気がカメラ筐体２内を下から上へ矢印ｃ方向に上昇して複数の排気孔３９からカメラ筐体２の上部外方へ強制排気される空気の対流が発生する。そして、この空気の対流によってカメラ筐体２の内部に収納されている撮影装置及び複数の信号処理基板９にマウントされている回路素子等が強制空冷される。
【００１５】
しかも、このカメラ筐体２内で発生される空気の対流の一部は矢印ｄ方向で示すようにカメラ筐体２の左側板２３の内面２３ａに一体成形されている複数の放熱用フィン３２間の複数のスリット状空間３７を通るようにして下から上へスムーズに上昇される。
【００１６】
従って、ポータブルビデオカメラ１への電源投入によって通電状態となる複数のＩＣ３５が発生する熱は、放熱用シート３６−複数の放熱用フィン３２を通して左側板２３に効率良く熱伝導されて、その左側板２３の外面２３ｂにて冷たい外気に輻射、放熱されると同時に、複数のスリット状空間３７内に面している複数の放熱用フィン３２の大きな表面積部分で、カメラ筐体２内の矢印ｄ方向で示す対流空気に複数のＩＣ３５の熱が効率良く輻射、対流されることになる。
【００１７】
従って、複数のＩＣ３５が発生する熱を左側板２３への熱伝導と複数の放熱用フィン３２による放熱作用との相乗効果によって、その左側板２３の内外両面２３ａ、２３ｂで高効率に輻射、放熱することができる。これにより、複数のＩＣ３５の過熱を未然に防止して、その信頼性を安定して保つことができると共に、その左側板２３が異常な高温に加熱されることも未然に防止できるので、その左側板２３にカメラマンが手を触れても火傷を負うことがなく、高い安全性を確保できる。しかも、カメラ筐体２の内部全体の異常な温度上昇も未然に防止することができるので、撮影装置、複数の信号処理基板９や１１等にマウントされている回路素子の信頼性も安定して保つことができる。
【００１８】
それでいて、左側板２３の外面２３ｂは平坦に形成することができるので、その左側板２３の外面に放送局名やカメラナンバー等の表示部３３を形成するための大きなスペースを十分に確保できるばかりか、その表示部３３のレイアウト等の自由度も非常に高い。そして、その左側板２３の外面２３ｂに複数の放熱用フィンを設けなくても良いことからデザイン上の制約も受けないと言った効果が得られる。
【００１９】
「放熱装置の第２の実施形態」
次に、図８によって、放熱装置３１の第２の実施形態を説明すると、この場合は、放熱用シート３６の外面３６ｂに垂直状で複数の放熱用フィン３２を一体成形又は接着等にて形成し、その放熱用シート３６の内面３６ａに複数のＩＣ３５を圧着させると共に、複数の放熱用フィン３２を左側板２３の平坦な内面２３ａに圧着させたものである。そして、この第２の実施形態によれば、第１の実施形態と同等の効果を奏することができる上に、放熱用シート３６に形成した複数の放熱用フィン３２の高弾性力を利用して、複数のＩＣ３５−放熱用シート３６−複数の放熱用フィン３２−左側板２３の相互の圧着性をより一層高めることができると共に、その際に発生するストレスもより一層軽減することができる。
【００２０】
「放熱装置の第３の実施形態」
次に、図９によって、放熱装置３１の第３の実施形態を説明すると、この場合は、熱伝導性の高い材料で構成された放熱用フィン形成部材４１に垂直状で複数の放熱用フィン３２を一体成形等にて形成し、この放熱用フィン形成部材４１を左側板２３の平坦な内面２３ａと放熱用シート３６との間に介在させて、複数のＩＣ３５−放熱用シート３６−放熱用フィン形成部材４０−左側板２３を相互に圧着させたものであり、この第３の実施形態においても第１及び第２実施形態と同等の効果を奏することができる上に、側板２３の内外両面２３ａ、２３ｂを平坦に形成することができるので、その側板２３の鋳造を容易に行える。
【００２１】
以上、本発明の実施の形態について説明したが、本発明は上記した実施の形態に限定されることなく、本発明の技術的思想に基づいて各種の変更が可能である。例えば、本発明の発熱源は電源ユニットやＩＣ以外のものであっても良い。また、その発熱源を放熱用シートを介して密着するカメラ筐体の側板は左側板に限定されることなく、右側板、上下の側板或いは前後の側板等の何れであっても良い。また、本発明のビデオカメラは放送局用や業務用のポータブルビデオカメラに限定されることなく、その他の各種のビデオカメラに適用可能である。
【００２２】
【発明の効果】
以上のように構成された本発明のビデオカメラの放熱装置は、次のような効果を奏することができる。
【００２３】
請求項１は、カメラ筐体の内部に組み込まれた発熱源が発生する熱を放熱用シート及び複数の放熱用フィンを通してカメラ筐体の側板に熱伝導させて、その側板の外面で外気に輻射、放熱させると共に、カメラ筐体の内部で複数の放熱用フィン間の複数のスリット状空間を通るようにして下から上へ対流される空気によって複数の放熱用フィンの大きな表面積部分で輻射、放熱させるようにして、発熱源が発生する熱をカメラ筐体の側板への熱伝導と放熱用フィンによる放熱作用との相乗効果によって、その側板の内外両方で効率良く放熱することができるようにしたので、カメラ筐体の内部温度の上昇を防いで、ビデオカメラの信頼性を向上することができると共に、側板が異常に高温になることを未然に防止できるので、カメラマンの手等が側板に触れても火傷を負う危険がなく、安全性が高い。それでいて、カメラ筐体の側板の外面には複数の放熱用フィンを設ける必要がなく、その側板の外面を平坦に形成することができるので、放送局名やカメラナンバー等をその側板の外面に表示する際の大きなスペースを十分に確保できると共に、放熱用フィンによってデザイン上の制約を受けることもなくなり、デザイン設計の自由度が非常に高い。
【００２４】
請求項２は、カメラ筐体の側板の内面に垂直状の放熱用フィンを一体成形したので、側板を鋳造等で成形する際に、放熱用フィンも同時成形することができて、コストの追加及び部品点数の追加を生じないので、低コストで、高性能なビデオカメラを提供できる。
【００２５】
請求項３は、放熱用シートに垂直状の放熱用フィンを形成したので、放熱用シートをゴム素材等にて成形する際に、放熱用フィンも同時に成形することができて、コストの追加及び部品点数の追加を生じないで、低コストで、高性能なビデオカメラを提供できる上に、発熱源−放熱用シート−側板を相互に圧着する際に、放熱用シートの高弾性力を利用して、これらの相互の密着性を向上できると共に、その際に発生するストレスも軽減することができる。
【００２６】
請求項４は、側板と放熱用シートとの間に放熱用フィン形成部材を介在させたので、側板の内外両面を平坦に形成することができて、その側板の鋳造等を容易に行え、製造コストを下げることができる。
【００２７】
請求項５は、カメラ筐体の内部の空気対流手段に放熱用ファンを用いたので、カメラ筐体内を強制空冷することができて、発熱源の放熱効果の増大と、カメラ筐体内の温度上昇の防止とを確保できる。
【図面の簡単な説明】
【図１】本発明を適用したビデオカメラの放熱装置の第１の実施形態の要部を示した分解斜視図である。
【図２】図１に示した左側板の内面の放熱用フィン及び吸気孔を示した一部切欠き側面図である。
【図３】図１に示した基板にマウントされているＩＣの配列を示した側面図である。
【図４】同上のビデオカメラの放熱装置の第１の実施形態を説明するカメラ筐体全体の一部切欠き側面図である。
【図５】図４に示したカメラ筐体の正面図である。
【図６】図４のＡ−Ａ矢視での断面図である。
【図７】図６のＢ−Ｂ矢視での拡大断面図である。
【図８】本発明のビデオカメラの放熱装置の第２の実施形態を示した図７と同様の拡大断面図である。
【図９】本発明のビデオカメラの放熱装置の第３の実施形態を示した図７と同様の拡大断面図である。
【図１０】従来の放熱用フィンを備えたポータブルビデオカメラの斜視図である。
【図１１】同上のカメラ筐体の分解斜視図である。
【図１２】同上のカメラ筐体の内部に組み込まれた電源ユニットの分解斜視図である。
【符号の説明】
１はビデオカメラであるポータブルビデオカメラ、２はカメラ筐体、２１はカメラ筐体の筐体本体、２３はカメラ筐体の側板である左側板、３１は放熱装置、３２は放熱用フィン、３３は表示部、３４は基板、３５は発熱源であるＩＣ、３６は放熱用シート、３７はスリット状空間、３８は空気対流手段である吸気孔、３９は空気対流手段である排気孔、４０は放熱用ファン、４１は放熱用フィン形成部材、矢印ａ、ｂ、ｃ、ｄは対流空気である。
【図１】
0004019502.tif 000002
【図２】
0004019502.tif 000003
【図３】
0004019502.tif 000004
【図４】
0004019502.tif 000005
【図５】
0004019502.tif 000006
【図６】
0004019502.tif 000007
【図７】
0004019502.tif 000008
【図８】
0004019502.tif 000009
【図９】
0004019502.tif 000010
【図１０】
0004019502.tif 000011
【図１１】
0004019502.tif 000012
【図１２】
0004019502.tif 000013